【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
学習デバイスの非集中システム内の学習能力を修正するための方法であって、
学習デバイスの前記非集中システム内の学習デバイスで、付近のデバイスから信号を受信することと、
前記学習デバイスにおいて、前記受信された信号が前記受信された信号内のデータに基づき学習モディファイア信号であると決定すること、ここにおいて、前記受信された学習モディファイア信号内の前記データは、前記学習デバイスの学習率を修正するための情報を備える、と、
前記学習モディファイア信号を受信したことに応答して前記学習デバイスの１つまたは複数の学習能力を修正すること、ここにおいて、前記修正することは、前記学習モディファイア信号に基づきリフレックスのトリガー重みを計算するために使用される閾値を調整することを含み、前記リフレックスは、トリガーと前記学習デバイスが実行するように構成されているアクションとの間の少なくとも相関または関係を指示する情報を記憶する、と
を備える方法。
【請求項２】
前記学習デバイスにおいて、その後の学習モディファイア信号が受信されたかどうかを決定することと、
前記その後の学習モディファイア信号が受信されていないと決定したことに応答して前記学習デバイスの前記修正された１つまたは複数の学習能力をリセットすることと
をさらに備える請求項１に記載の方法。
【請求項３】
前記学習デバイスの前記１つまたは複数の学習能力を修正することは、前記学習デバイスの学習モードを有効化することを備え、
前記学習デバイスの前記修正された１つまたは複数の学習能力をリセットすることは、前記学習デバイスの前記学習モードを無効化することを備える請求項２に記載の方法。
【請求項４】
前記学習デバイスの前記１つまたは複数の学習能力を修正することは、前記学習デバイスの学習モードを無効化することを備え、
前記学習デバイスの前記修正された１つまたは複数の学習能力をリセットすることは、前記学習デバイスの前記学習モードを有効化することを備える請求項２に記載の方法。
【請求項５】
前記学習デバイスの前記修正された１つまたは複数の学習能力をリセットすることは、前記リフレックスの前記トリガー重みを計算するために使用される前記閾値を既定値に調整することを備える請求項２に記載の方法。
【請求項６】
前記学習デバイス内のタイマーを初期化することと、
前記受信された信号が前記学習モディファイア信号であると決定したことおよび前記その後の学習モディファイア信号が受信されたと決定したことのうちの一方に応答して前記タイマーをアクティブ化するか、またはリセットすることと
をさらに備え、ここにおいて、前記学習デバイスにおいて、その後の学習モディファイア信号が受信されたかどうかを決定することは、前記学習デバイスにおいて、前記タイマーが切れる前に前記その後の学習モディファイア信号が受信されたかどうかを決定することを備える請求項２に記載の方法。
【請求項７】
前記タイマーは、前記学習モディファイア信号からのデータに基づき設定される請求項６に記載の方法。
【請求項８】
前記学習モディファイア信号は、前記学習デバイスが学習率を大きくするか、または小さくするべきかを指示する学習率モディファイア値、前記学習モディファイア信号の影響を受ける学習デバイスのタイプを指示するデバイスタイプ、前記学習デバイスが学習モードを有効化するか、または無効化するべきかを指示する学習モードアクティブ設定、学習モディファイア信号の影響を受ける計算の特定のタイプを指示する学習率モディファイアタイプ、および前記付近のデバイスが前記学習モディファイア信号をどれだけ頻繁に送信するかを指示する送信頻度のうちの１つまたは複数を含む請求項１に記載の方法。
【請求項９】
学習デバイスの非集中システム内の付近のデバイスから信号を受信するための手段と、
前記受信された信号が前記受信された信号内のデータに基づき学習モディファイア信号であると決定するための手段、ここにおいて、前記受信された学習モディファイア信号内の前記データは、コンピューティングデバイスの学習率を修正するための情報を備える、と、
前記学習モディファイア信号を受信したことに応答して前記コンピューティングデバイスの１つまたは複数の学習能力を修正するための手段、ここにおいて、前記修正することは、前記学習モディファイア信号に基づきリフレックスのトリガー重みを計算するために使用される閾値を調整することを含み、前記リフレックスは、トリガーと前記コンピューティングデバイスが実行するように構成されているアクションとの間の少なくとも相関または関係を指示する情報を記憶する、と
を備える、コンピューティングデバイス。
【請求項１０】
その後の学習モディファイア信号が受信されたかどうかを決定するための手段と、
前記その後の学習モディファイア信号が受信されていないと決定したことに応答して前記コンピューティングデバイスの前記修正された１つまたは複数の学習能力をリセットするための手段と
をさらに備える請求項９に記載のコンピューティングデバイス。
【請求項１１】
前記コンピューティングデバイスの前記１つまたは複数の学習能力を修正するための手段は、前記コンピューティングデバイスの学習モードを有効化することを備え、
前記コンピューティングデバイスの前記修正された１つまたは複数の学習能力をリセットするための手段は、前記コンピューティングデバイスの前記学習モードを無効化することを備える請求項１０に記載のコンピューティングデバイス。
【請求項１２】
前記コンピューティングデバイスの前記１つまたは複数の学習能力を修正するための手段は、前記コンピューティングデバイスの学習モードを無効化することを備え、
前記コンピューティングデバイスの前記修正された１つまたは複数の学習能力をリセットするための手段は、前記コンピューティングデバイスの前記学習モードを有効化することを備える請求項１０に記載のコンピューティングデバイス。
【請求項１３】
前記コンピューティングデバイスの前記修正された１つまたは複数の学習能力をリセットするための手段は、前記リフレックスの前記トリガー重みを計算するために使用される前記閾値を既定値に調整することを備える請求項１０に記載のコンピューティングデバイス。
【請求項１４】
タイマーを初期化するための手段と、
前記受信された信号が前記学習モディファイア信号であると決定したことおよび前記その後の学習モディファイア信号が受信されたと決定したことのうちの一方に応答して前記タイマーをアクティブ化するか、またはリセットするための手段と
をさらに備え、ここにおいて、その後の学習モディファイア信号が受信されたかどうかを決定するための手段は、前記タイマーが切れる前に前記その後の学習モディファイア信号が受信されたかどうかを決定するための手段を備える請求項１０に記載のコンピューティングデバイス。
【請求項１５】
学習デバイスの非集中システム内の付近のデバイスから信号を受信することと、
前記受信された信号が前記受信された信号内のデータに基づき学習モディファイア信号であると決定すること、ここにおいて、前記受信された学習モディファイア信号内の前記データは、前記学習デバイスの学習率を修正するための情報を備える、と、
前記学習モディファイア信号を受信したことに応答してコンピューティングデバイスの１つまたは複数の学習能力を修正すること、ここにおいて、前記修正することは、前記学習モディファイア信号に基づきリフレックスのトリガー重みを計算するために使用される閾値を調整することを含み、前記リフレックスは、トリガーと前記コンピューティングデバイスが実行するように構成されているアクションとの間の少なくとも相関または関係を指示する情報を記憶する、と
を備えるオペレーションを前記コンピューティングデバイスのプロセッサに実行させるように構成されたプロセッサ実行可能命令を記憶した、非一時的プロセッサ可読記憶媒体。